(57)【特許請求の範囲】
【請求項１】
車両のレインセンサーであって、
光を出力する少なくとも１つの発光部と、
前記発光部に対応して一定距離離れて形成される第１反射板と、
前記第１反射板によって反射された反射光を再び反射させて感知領域を形成するガラス部と、
前記ガラス部によって再び反射された反射光を再反射する第２反射板と、
前記第２反射板で反射された反射光を受光する受光部と、を含み、
前記第２反射板は、前記ガラス部の厚さの変化により変わる入射光の垂直方向の高さに応じて多数の焦点からなる多焦点反射板で構成されることを特徴とする多焦点レインセンサー。
【請求項２】
前記第２反射板は、階段形態で構成され、前記階段形態の各層は前記ガラス部の厚さによって相異なる位相を有する前記反射光を前記受光部に集光するように構成されることを特徴とする請求項１に記載の多焦点レインセンサー。
【請求項３】
前記第２反射板は、大口径多焦点のパラボラ反射板で構成されることを特徴とする請求項１又は２に記載の多焦点レインセンサー。
【請求項４】
前記第２反射板は、垂直方向に沿って相異なる焦点を持つように曲率を形成し、水平方向に球面の形態を含む反射板で構成されることを特徴とする請求項１〜３のいずれか一項に記載の多焦点レインセンサー。
【請求項５】
前記発光部は、赤外線ＬＥＤで構成されることを特徴とする請求項１〜４のいずれか一項に記載の多焦点レインセンサー。
【請求項６】
前記ガラス部の厚さが４ｍｍ〜６ｍｍであることを特徴とする請求項１〜５のいずれか一項に記載の多焦点レインセンサー。
【請求項７】
前記ガラス部の内側面に位置する平行部をさらに含み、
前記平行部は、前記反射板に反射された反射光が平行光を構成することを特徴とする請求項１〜６のいずれか一項に記載の多焦点レインセンサー。
【請求項８】
前記平行部は、鋸歯状のレンズで構成されることを特徴とする請求項７に記載の多焦点レインセンサー。
【請求項９】
前記平行部は、前記ガラス部の感知領域に左右対称に構成されることを特徴とする請求項８に記載の多焦点レインセンサー。
【請求項１０】
２つ以上の発光部が設けられ、
前記２つ以上の発光部は、時間分離によって前記受光部に流入される光を制御することを特徴とする請求項１〜９のいずれか一項に記載の多重敏感度領域を有するレインセンサー。
【発明の詳細な説明】
【技術分野】
【０００１】
本発明は、多焦点レインセンサーに関するもので、より詳細には、レインセンサーが付着される車両のガラス部の厚さに対応して多様な焦点が要求される場合も単一のレインセンサーの構成を用いて多様な焦点を有する状況で統合的に適用可能であり、受光領域の反射光を効率的に集光できる多焦点レインセンサーに関する。
【背景技術】
【０００２】
レインセンサー（Ｒａｉｎ Ｓｅｎｓｏｒ）は、運転者が別途に操作しなくても雨滴の強さと量などを自ら感知してワイパーの速度や作動時間などを自動的に制御する装置である。
【０００３】
レインセンサーは雨滴感知器または雨滴感知センサともいい、運転者が運転途中にワイパーの動きや速度を調節するために別途の動作を取る場合、目を移すか、不必要な動作によって発生する事故または運転上の不便さを減らすために開発された。
【０００４】
具体的には、雨滴が自動車のウインドシールドガラスに落ちると、ウインドシールドガラスの裏面に設置されたレインセンサーが赤外線を用いて雨滴の量と速度を感知し、感知された雨滴の量と速度によりワイパーの速度を早くまたは遅く動作するように制御する方式である。
【０００５】
上述したように、車両のワイパーの速度制御を行うためには正確な雨滴の量を測定することが重要であり、さらに正確な雨滴の量を測定するためには発光部で反射された光を効率的に集光しなければならない。
【０００６】
ところが、車両によって相異なる厚さのガラス部が適用されるため、それぞれのガラス部の厚さに合わせて別途のレインセンサーが装着されるか、従来のレインセンサーを適切に設計変更しなければならないという問題があった。
【０００７】
また、空間、材質、及び屈折光学上の限界によって、幅広い領域に入射される反射光を短い位置に集光し難かったため、センサの効率を上げるためにセンサのサイズが増大するという問題があった。
【０００８】
先行技術として特許文献１では、発光部で発光された光を受光部に直接集光してガラス部に位置する雨滴の量を測定するレインセンサー３０を提供する。
【０００９】
特許文献１の構成は、図１に示されているが、図１では光を発生させる発光部１１、前記発光部１１で生成された光を反射させる反射板１２、前記反射板１２に反射された光を再反射させて感知領域を形成するガラス部２０、及び前記ガラス部２０で反射された光を受光する受光部１３を示している。
【００１０】
しかし、特許文献１でも、水平に流入される反射光を全部集光する別途の構成が開示されておらず、受光部１３の集光効率が低下するという問題があった。
【００１１】
さらに、単一ガラス部に対するレインセンサーの構成を開示しているが、ガラス部の厚さにより別途の焦点を有する反射板を構成しなければならず、ガラス部の厚さによって相異なる焦点を有するレインセンサーが要求される状況には適用できないという問題があった。
【先行技術文献】
【特許文献】
【００１２】
【特許文献１】韓国公開特許公報第２０１５−１３７８９７号
【発明の概要】
【発明が解決しようとする課題】
【００１３】
本発明は、上記のような問題点を案出するために考案されたもので、多数の焦点を有する第２反射板を提供してガラス部の厚さによって相異なる焦点を要求する如何なる自動車にも適用できる多焦点レインセンサーを提供することに目的がある。
【００１４】
また、多焦点の第２反射板を提供することで、位置別の位相差が存在する入射光を全部受光できるレインセンサーを提供することに目的がある。
【００１５】
さらに、本発明は、受光部に位置する第２反射板を用いてガラス部で反射され入射される反射光を屈折させて受光部に集光する構成を含むことで、集光効率の高いレインセンサーを提供することができる。
【００１６】
本発明の目的は、以上で言及した目的に制限されることはなく、言及していない本発明の他の目的は下記の説明によって理解でき、本発明の実施例から明らかになる。また、本発明の目的は、特許請求の範囲に記載された手段及びその組合せにより実現されることができる。
【課題を解決するための手段】
【００１７】
上述した本発明の目的を達成するための多焦点レインセンサーは次のような構成を含む。
【００１８】
車両のレインセンサーにおいて、光を出力する発光部と、前記発光部に対応して一定距離離れて形成される第１反射板と、前記第１反射板によって反射された前記反射光を再び反射させて感知領域を形成するガラス部と、前記ガラス部によって再び反射された反射光を再反射する第２反射板と、前記第２反射板で反射された反射光を受光する受光部と、を含み、前記第２反射板は、前記ガラス部の厚さの変化により変わる入射光の垂直方向の高さに応じて多数の焦点からなる多焦点反射板で構成される多焦点レインセンサーを提供する。
【００１９】
また、前記第２反射板は、階段形態で構成され、前記階段形態の各層は前記ガラス部の厚さによって相異なる位相を有する前記反射光を前記受光部に集光するように構成されることを特徴とする多焦点レインセンサーを提供する。
【００２０】
また、前記第２反射板は、大口径多焦点のパラボラ反射板で構成されることを特徴とする多焦点レインセンサーを提供する。
【００２１】
また、前記第１反射板の焦点よりも前記第２反射板の焦点がさらに大きい形態で構成されることを特徴とする多焦点レインセンサーを提供する。
【００２２】
また、前記第２反射板を形成する複数の焦点は
【数１】
0006786326.tif 000002
によって決められることを特徴とする多焦点レインセンサー（前記ｘは第２反射板と受光部の距離、前記ｙは第２反射板の高さ、前記ｆは第２反射板の焦点距離）を提供する。
【００２３】
また、前記第２反射板は、垂直方向に沿って相異なる焦点を持つように曲率を形成し、水平方向に球面の形態を含む放物型反射板で構成されることを特徴とする多焦点レインセンサーを提供する。
【００２４】
また、前記発光部は、赤外線ＬＥＤで構成されることを特徴とする多焦点レインセンサーを提供する。
【００２５】
また、前記ガラス部の厚さが４ｍｍ〜６ｍｍから何れか１つであることを特徴とする多焦点レインセンサーを提供する。
【００２６】
また、前記ガラス部の内側面に位置する平行部をさらに含み、前記平行部は、前記反射板に反射された反射光が平行光を構成することを特徴とする多焦点レインセンサーを提供する。
【００２７】
また、前記平行部は、鋸歯状のレンズで構成されることを特徴とする多焦点レインセンサーを提供する。
【００２８】
また、前記平行部は、前記ガラス部の感知領域に左右対称して構成されることを特徴とする多焦点レインセンサーを提供する。
【発明の効果】
【００２９】
本発明は、上記本実施例と下記に説明する構成との結合、使用関係によって次のような効果が得られる。
【００３０】
本発明は、相異なるガラスの厚さに適用できるように多焦点を有するレインセンサーを提供することで、相異なるガラス部の厚さを有する自動車に共通的に適用するレインセンサーを提供することができる。
【００３１】
また、ガラス部で反射された反射光が第２反射板に入射され屈折されることで、垂直方向に曲率を有する第２反射板による光の効率的な集光が可能となる。
【００３２】
また、効率的な集光が可能なように構成される第２反射板により、受光部に受光される光を増加できるため、レインセンサーの測定の正確度を著しく高めることができる。
【図面の簡単な説明】
【００３３】
【図１】従来技術として、反射光が受光部に直接照射されるレインセンサーを示している。
【図２】本発明の一実施例として、曲面多焦点の第２反射板を含む多焦点レインセンサーの斜視図である。
【図３】本発明の一実施例として、曲面多焦点の第２反射板を含む多焦点レインセンサーの側断面図である。
【図４】本発明の一実施例として、曲面多焦点の第２反射板を含む多焦点レインセンサーの光の経路を示している。
【図５】本発明の一実施例として、階段形態の多焦点の第２反射板を含む多焦点レインセンサーの斜視図である。
【図６】本発明の一実施例として、階段形態の多焦点の第２反射板を含む多焦点レインセンサーの側断面図である。
【図７ａ】本発明の一実施例として、ガラス部の厚さが４ｍｍで曲面多焦点の第２反射板を含む多焦点レインセンサーの光の経路を示している。
【図７ｂ】本発明の一実施例として、ガラス部の厚さが５ｍｍで曲面多焦点の第２反射板を含む多焦点レインセンサーの光の経路を示している。
【図７ｃ】本発明の一実施例として、ガラス部の厚さが６ｍｍで曲面多焦点の第２反射板を含む多焦点レインセンサーの光の経路を示している。
【図８ａ】従来技術の比較例として、ガラス部の厚さによる受光部の出力を示している。
【図８ｂ】本発明の一実施例として、曲面多焦点の第２反射板を含むレインセンサーのガラス部の厚さによる受光部の出力を示している。
【図８ｃ】本発明の一実施例として、階段形態の多焦点の第２反射板を含むレインセンサーのガラス部の厚さによる受光部の出力を示している。
【発明を実施するための形態】
【００３４】
以下、本発明の実施例を添付した図面を参照して詳細に説明する。本発明の実施例は、様々な形態に変形することができ、本発明の範囲が以下の実施例により限定されると解釈してはいけない。本実施例は、当業界で平均的な知識を有する者にとって本発明をさらに完全に説明するために提供される。
【００３５】
また、本明細書で構成の名称を第１、第２などに分けたことはその構成の名称が同じで、これを区分するためであり、下記の説明で必ずしもその順序を限定することはない。
【００３６】
本発明は、車両のガラスに付着されて車両のガラスに落ちる雨滴を感知し、感知された雨滴の量及び落下周期によって車両のワイパーの速度及び周期を制御できる信号を出力する鏡を用いた全反射形態のレインセンサーに関するものである。さらに、レインセンサーは、車両の前面ガラスだけでなく、車両のガラスのおいてワイパーを備えるガラス（例えば、後面ガラスなど）にも付着してもよい。
【００３７】
図２は本発明の一実施例として、多焦点レインセンサー１００の斜視図である。
【００３８】
多焦点レインセンサー１００は、レインセンサーのハウジングの内部に位置する少なくとも１つの発光部１１０を含み、車両のガラス部１３０に接触する他の平面上に位置し、ハウジングの水平方向に光を照射するように位置し、赤外線を照射する赤外線ＬＥＤからなる。さらに、前記発光部は、水平面上に第１反射板１２０と向き合うように構成されるが、発光部１１０により照射された光が第１反射板１２０により反射されるように位置される。
【００３９】
さらに、発光部１１０に対応する構成として受光部１５０を含むが、受光部１５０は、発光部１１０で照射された光を受光するフォトダイオードで構成される。前記フォトダイオードは、ハウジングに位置するＰＣＢ２００に連結されて雨滴の量によって受光される光の測定値を受信する構成である。受光部１５０は、第２反射板１４０と向き合うように構成され、発光部１１０で照射され反射された光が第２反射板１４０により反射されて受光部１５０に集光される。具体的には、第２反射板１４０は、垂直方向に入射される反射光を集光するために一定の曲率を持つが、水平方向に入射される反射光を集光するために一定の曲率または球面状態の構成を含む。上述したように、発光部１１０で照射され反射された光を集光するように構成される第２反射板１４０は、垂直方向の高さによって相異なる焦点を持つように構成されるが、それぞれの焦点は、ガラス部１３０の厚さによって相異なる位相を有する反射光により設定されることができる。
【００４０】
さらに好ましくは、本発明の発光部１１０は２つ以上で構成されることができ、多数の発光部１１０でそれぞれ照射される光は、受光部１５０により受光されるが、前記発光部１１０は時間分離によって光を照射する時間を分離でき、このように照射される光は受光部１５０により全部受光することができる。
【００４１】
また、本発明の一実施例では、１つの受光部１５０を含んで構成され、２つ以上の発光部１１０での時間分離から発生する光は１つの受光部１５０に順次流入されるが、１つの受光部１５０の構成により、多数の発光部１１０で照射される光を受光することができる。
【００４２】
図３は、本発明の一実施例として、多焦点レインセンサー１００の側断面図である。
【００４３】
レインセンサーのハウジングの内部に位置する発光部１１０は、水平方向に光を照射するように構成され、照射された光は発光部１１０から一定距離離れた第１反射板１２０に照射される。このように照射された光は、第１反射板１２０で反射され、車両のガラス部１３０の外側に入射される。さらに、車両のガラス部１３０の外側に入射される前に位置する平行部１６０を構成してもよいが、反射光は、平行部１６０を通過して平行光の形態を有することができる。ただし、前記平行部１６０を通過した反射光は、レインセンサーの形態及び感知面積によって、他の形態の光経路を構成することができる。さらに好ましくは、前記平行部１６０は、ガラス部の感知領域の中心に対称して構成できるが、前記平行部１６０を過ぎる光の経路を維持または変更できる構成である。
【００４４】
また、反射光は、前記車両のガラス部１３０の外側で全反射を行い、ガラス部１３０で再反射された反射光は第２反射板１４０に照射される。第２反射板１４０は、垂直方向の高さによって相異なる焦点を有する多焦点パラボラ鏡で構成することができる。このように構成される第２反射板１４０は、照射される反射光を反射させるが、第２反射板１４０と向き合う受光部１５０は、第２反射板１４０に入射される反射光を集光する役割を行う。さらに好ましくは、第２反射板１４０は、第１反射板１２０の焦点よりも大きい焦点値を持つが、第２反射板１４０が第１反射板１２０に比べてさらに広い領域から流入される光を集光できる構成である。
【００４５】
多焦点で構成される第２反射板１４０は、ガラス部１３０の厚さによって相異なる位相を有する反射光が全部反射できるように大口径で構成することができる。また、第２反射板１４０は、相異なる位相を有する反射光が再反射されて受光部１５０に受光されるように一定高さによって相異なる焦点を持つ。さらに好ましくは、本発明の第２反射板１４０は、垂直方向に、高さによって相異なる焦点を持つように曲面（パラボラ）形状を持つことができ、ガラスの厚さが厚いほど反射光は長焦点を持ち、前記第２反射板１４０の垂直方向の上部に反射光が照射される。また、水平方向に照射される反射光を受光部１５０に集光するために、第２反射板１４０は水平方向に球面の形態を持つように構成される。
【００４６】
図４は、本発明の一実施例として、多焦点パラボラ鏡で構成される第２反射板１４０を含む多焦点レインセンサー１００の前面図である。
【００４７】
赤外線ＬＥＤ発光部１１０で構成されるレインセンサーとして、発光部１１０で照射された光が第１反射板１２０に反射され、鋸歯状の平行部１６０を通過してガラス部１３０に入射される。前記入射されたガラス部１３０の外側では全反射を行って第２反射板１４０に前記反射光が入射されるが、第２反射板１４０は、大口径の長焦点反射板で構成される。また、第２反射板１４０は、垂直方向に一定の曲率を含んで垂直方向に照射される反射光を集光し、水平方向に球面形態を取っていて水平方向に照射される反射光を集光するように構成される。上述したように、第２反射板１４０で再反射された反射光は受光部１５０に集光される。
【００４８】
図５は、本発明のまた他の実施例として、階段形態の鏡で構成される第２反射板１４０を含む多焦点レインセンサー１００の斜視図である。
【００４９】
前記図２に示された構成と同じ構成を含む実施例として、第２反射板１４０の形態が多焦点を有する階段形態で構成される。さらに好ましくは、３つの層で構成される第２反射板１４０は、最上層で長焦点を含む反射板で構成され、ハウジングの底面に近い層であるほど短焦点を有する反射板で構成される。さらに、第２反射板１４０を構成するそれぞれの層を構成する反射板は、曲面形態を維持でき、また、層を分割するように構成される階段形態も一定の傾きを維持するように構成することができる。
【００５０】
図６は、本発明のまた他の実施例として、階段形態の鏡で構成される第２反射板１４０を含む多焦点レインセンサー１００の側断面図である。
【００５１】
レインセンサーのハウジングの内部に位置する発光部１１０は、水平方向に光を照射するように構成され、照射された光は発光部１１０から一定距離離れた第１反射板１２０に照射される。このように照射された光は、第１反射板１２０で反射されて車両のガラス部１３０の外側に入射される。さらに、車両のガラス部１３０の外側に入射される前に位置する平行部１６０を構成できるが、反射光は、平行部１６０を通過して平行光の形態を有することができる。ただし、前記平行部１６０を通過した反射光は、レインセンサーの形態及び感知面積によって他の形態の光経路を構成することができる。
【００５２】
また、反射光は、前記車両のガラス部１３０外側で全反射を行い、ガラス部１３０で再反射された反射光は、第２反射板１４０に照射される。第２反射板１４０は、垂直方向の高さによって相異なる焦点を有する階段形態の鏡で構成することができる。さらに好ましくは、第２反射板１４０は、垂直方向に一定の曲率を含むそれぞれの層で構成されて垂直方向に照射される反射光を集光し、水平方向に球面形態を取っていて水平方向に照射される反射光を集光するように構成される。
【００５３】
このように構成される第２反射板１４０は、第２反射板１４０と向き合う受光部１５０に反射光を集光させる。さらに好ましくは、第２反射板１４０は、第１反射板１２０の焦点よりも大きい焦点値を持つように構成できるが、第２反射板１４０が第１反射板１２０に比べてさらに広い領域から流入される光を集光することができる。
【００５４】
このように、多焦点で構成される第２反射板１４０により、ガラス部１３０の厚さによって相異なる位相を有する反射光が入射される場合、相異なる位相を有する反射光が第２反射板１４０のそれぞれの層から再反射されて受光部１５０に集光されるようにそれぞれの層は相異なる焦点を持つ。
【００５５】
具体的には、３つの層の鏡で構成される第２反射板１４０は、ガラス部１３０が６ｍｍで構成される車両の雨滴の量を測定する場合、第２反射板１４０の最上層に入射される反射光を受光部１５０で集光するように構成される。これと比較して、ガラス部１３０が５ｍｍで構成される車両の雨滴の量を測定する場合、第２反射板１４０の２層に位置する反射板により反射光を受光部１５０に集光し、ガラス部１３０が４ｍｍで構成される車両の雨滴の量を測定する場合、第２反射板１４０の最下層部に位置する反射板により受光部１５０に集光を行う。
【００５６】
図７ａは、本発明の一実施例により、ガラス部１３０が４ｍｍの厚さを含む場合、レインセンサーの光の経路を側面から示している。
【００５７】
本発明の一実施例によれば、第２反射板１４０は、水平方向に相異なる３つの焦点を有するパラボラ鏡で構成されるが、最下層から最上層に行くほど長さの長い焦点を持つ。
【００５８】
したがって、ガラス部１３０の外側に位置する雨滴を測定するためのレインセンサーの光は、発光部１１０から入射されて第１反射板１２０で反射され、前記第１反射板１２０で反射された反射光は、前記車両のガラス部１３０外側で全反射を行い、ガラス部１３０で再反射された反射光は、第２反射板１４０に照射される。さらに、第２反射板１４０に入射される反射光の場合は、第２反射板１４０は垂直方向に最も低い層に入射されるため、最も短い焦点を有する第２反射板１４０の領域を通して受光部１５０に集光される。
【００５９】
図７ｂは、本発明の一実施例により、ガラス部１３０が５ｍｍの厚さを含む場合、レインセンサーの光の経路を側面から示している。
【００６０】
前記図７ａと同じく、第２反射板１４０は、水平方向に相異なる３つの焦点を有する多数の層を含む階段形態の鏡で構成されるが、最下層から最上層に行くほど長さの長い焦点を持つ。
【００６１】
雨滴の量を測定するためのレインセンサーの光は、発光部１１０から入射されて第１反射板１２０で反射され、前記第１反射板１２０で反射された反射光は、前記車両のガラス部１３０の外側で全反射を行い、ガラス部１３０で再反射された反射光は、第２反射板１４０に照射される。さらに、第２反射板１４０に入射される反射光の場合は、第２反射板１４０は垂直方向に中間領域に入射されるため、中間焦点を有する第２反射板１４０の中間層領域を通して受光部１５０に集光される。
【００６２】
図７ｃは、本発明の一実施例により、ガラス部１３０が６ｍｍの厚さを含む場合、レインセンサーの光の経路を側面から示している。
【００６３】
前記図７ａと同じく、第２反射板１４０は、水平方向に相異なる３つの焦点を有するパラボラ鏡で構成されるが、最下層から最上層で行くほど長さの長い焦点を持つ。
【００６４】
雨滴の量を測定するためのレインセンサーの光は、発光部１１０から入射されて第１反射板１２０で反射され、前記第１反射板１２０で反射された反射光は、前記車両のガラス部１３０の外側で全反射を行い、ガラス部１３０で再反射された反射光は、第２反射板１４０に照射される。さらに、第２反射板１４０に入射される反射光の場合は、第２反射板１４０は垂直方向に最上層領域に入射されるため、最も長い焦点を有する第２反射板１４０の領域を通して受光部１５０に集光される。
【００６５】
前記図７ａから図７ｃに示されたように、ガラス部１３０の厚さにより反射光の位相差が発生するが、厚さの薄いガラス部１３０により全反射が行われる場合、発光部１１０に近いガラス部１３０の領域で全反射を行って第２反射板１４０の最下部領域に入射され、ガラス部１３０の厚さが厚くなるほど発光部１１０から遠いガラス部１３０の領域で全反射を行って第２反射板１４０の上層部に反射光が入射される構成である。
【００６６】
したがって、ガラス部１３０の厚さが厚くなることによって、ガラス部１３０で全反射を行う位置が受光部１５０に近い領域に移動し、反射光が受光部１５０に近い領域で全反射が行われる場合、第２反射板１４０の垂直方向の上層に反射光が照射される。
【００６７】
［比較例１］
従来技術として、発光部１１、平行部、受光部１３、及び反射板１２を含むレインセンサーを構成するが、第２反射板１４０を含んでいないレインセンサーを使用して、ガラス部２０の厚さによる受光能力を測定した。
【００６８】
図８ａに示すように、ガラス部２０の厚さが４ｍｍであれば、出力は０．００１Ｗの値を持ち、発光部１１の出力値の９０％を持つことが分かる。
【００６９】
さらに、ガラス部２０の厚さが５ｍｍであれば、発光部１１の出力値の９５％を持つため、レインセンサーの測定効率が良いことが分かる。
【００７０】
ただし、ガラス部２０の厚さが６ｍｍであれば、受光部１３で測定された出力は０．００６Ｗの値が測定されるが、これはガラス部２０の厚さが４ｍｍ及び５ｍｍの場合の出力値の半分以下の出力値であり、発光部１１の出力と比較して約４０％の出力比を持つ。
【００７１】
上述したように、従来技術では、ガラスの厚さが６ｍｍ以上にして付着されたレインセンサーは、受光部１３に受光される光の出力値が著しく低いため、正確な測定値を導き出し難い。
【００７２】
［実施例１］
本発明の実施例１では、光を発生させる発光部１１０、発光部１１０で発生した光を反射させる第１反射板１２０、ガラス部１３０、及びガラス部１３０の内側面に付着される平行部１６０、多焦点パラボラ鏡で構成される第２反射板１４０、及び受光部１５０を含む多焦点レインセンサー１００を構成する。さらに、第２反射板１４０は、長焦点及び大口径の第２反射板１４０を適用したレインセンサーの出力を測定した。
【００７３】
このように実施例１によって構成されるレインセンサーにより、受光部１５０に集光される出力を測定した結果、ガラス部１３０の厚さが４ｍｍであれば、出力値は０．０１４Ｗの値を持ち、発光部１１０出力値と比較して９５％以上の出力比を示す。さらに、ガラス部１３０の厚さが５ｍｍであれば、出力値は０．０１４Ｗよりも多少増加し、発光部１１０の出力値と比較して１００％に至る出力比を示している。
【００７４】
また、本実施例でガラス部１３０の厚さが６ｍｍであれば、本発明の実施例によるレインセンサーの出力値は０．０１２Ｗで、発光部１１０の出力値と比較して８５％以上の出力比を示している。
【００７５】
［実施例２］
本発明の実施例２では、光を発生させる発光部１１０、発光部１１０で発生した光を反射させる第１反射板１２０、ガラス部１３０、及びガラス部１３０に付着される平行部１６０、階段形態の多焦点鏡で構成される第２反射板１４０、及び受光部１５０を含む多焦点レインセンサー１００を構成する。
【００７６】
このように実施例２によって構成されるレインセンサーにより、受光部１５０に集光される出力を測定した結果、ガラス部１３０の厚さが４ｍｍであれば、出力値は０．０１４Ｗ以上の値を持ち、発光部１１０出力値と比較して９０％以上の出力比を示す。さらに、ガラス部１３０の厚さが５ｍｍであれば、出力値は０．０１５Ｗで、ガラス部１３０の厚さが４ｍｍの場合よりも多少増加し、発光部１１０出力値と比較して１００％に至る出力比を示している。
【００７７】
ガラス部１３０の厚さが６ｍｍであれば、本発明の実施例によるレインセンサーの出力値は０．０１４５Ｗで、発光部１１０の出力値と比較して９５％以上の出力比を示している。すなわち、実施例２により構成された本発明のレインセンサーは、ガラス部１３０の厚さが４ｍｍから６ｍｍまで変化しても一定の出力値を提供するため、さらに正確な測定値を提供できると判断される。
【００７８】
従来技術では、４ｍｍから６ｍｍまで変化するガラス部１３０に対して非対称反射鏡を含む比較例の出力値は最大５０％まで減少し、出力比も最大５０％に近い変化が確認された。
【００７９】
これと比較して、本発明の実施例１のように、長焦点及び大口径の第２反射板１４０を適用する場合、ガラス部１３０の厚さが４ｍｍから６ｍｍまで変化する間に出力及び出力比の敏感度が大きく変化することがなく、結論的にガラス部１３０の厚さによる別途の設計変更が要求されないという特徴を有する。
【００８０】
さらに、本発明の実施例２として、階段形態の反射鏡で構成される第２反射板１４０を含むレインセンサーも、ガラス部１３０の厚さが４ｍｍから６ｍｍまで変化する間に敏感度が大きく変化することがなく、さらに、ガラス部１３０の厚さが４ｍｍから６ｍｍに厚くなることによって出力値及び出力比が小幅増加する結果を示している。
【００８１】
結論的に本発明の多焦点レインセンサー１００は、ガラス部１３０の厚さによってレインセンサーの構造及び設定の変更が要求されることがない。
【００８２】
以上の詳細な説明は本発明を例示するものである。また、前述した内容は本発明の好ましい実施形態を説明することで、本発明は、多様な他の組合せ、変更、及び環境で使用することができる。すなわち、本明細書に開示された発明の概念の範囲、記述した開示内容と均等な範囲及び／または当業界の技術または知識の範囲内で変更または修正が可能である。上記実施例は本発明の技術的思想を実現するための最善の状態を説明するもので、本発明の具体的な適用分野及び用途で要求される多様な変更も可能である。したがって、以上の発明の詳細な説明は上記実施状態で本発明を制限しようとする意図はない。また、添付した特許請求の範囲は他の実施状態も含むと解釈しなければならない。
【符号の説明】
【００８３】
３０  レインセンサー
２０  ガラス部
１１  発光部
１２  反射板
１３  受光部
１４  平行部
１００  多焦点レインセンサー
１１０  発光部
１２０  第１反射板
１３０  ガラス部
１４０  第２反射板
１５０  受光部
１６０  平行部
２００  ＰＣＢ
【図１】
0006786326.tif 000003
【図２】
0006786326.tif 000004
【図３】
0006786326.tif 000005
【図４】
0006786326.tif 000006
【図５】
0006786326.tif 000007
【図６】
0006786326.tif 000008
【図７ａ】
0006786326.tif 000009
【図７ｂ】
0006786326.tif 000010
【図７ｃ】
0006786326.tif 000011
【図８ａ】
0006786326.tif 000012
【図８ｂ】
0006786326.tif 000013
【図８ｃ】
0006786326.tif 000014